(57)【要約】【課題】片手で保持部を持って片手で接続端子を挿入し、操作性を高める。【解決手段】左手で保持部１を持って、右手で電気コネクタＣを側方から保持部１の挿入溝６に挿入すると、第１の係止レバー７の鉤部７ａが電気コネクタＣを係止して基体２に固定する。この状態で、電気コネクタＣの各端子挿入口に、電線Ｗを付した接続端子Ｔを挿入する。このとき、アダプタ３には、電線Ｗのサンプルをサンプル溝内に配置した電線表示部が設けられているので、作業者はこのサンプルと一致する色、模様を持つ電線Ｗを電気コネクタＣの端子挿入口に挿入してゆけばよいので、誤挿入がなくなる。  全ての接続端子Ｔの挿入が終了すると、第１の係止レバー７の操作部７ｂを押して鉤部７ａの電気コネクタＣへの係止を外し、電気コネクタＣを保持部１の挿入溝６から引き出す。【選択図】図５
2009117224.tif 000002
【特許請求の範囲】
【請求項１】
電気コネクタに電線を付した接続端子を挿入するためのコネクタ用端子装着用具であって、前記電気コネクタをその端子挿入口を外側に向けて保持する保持部と、前記電気コネクタを前記保持部に係止する係止手段と、前記保持部を把持する把持部とから成ることを特徴とするコネクタ用端子装着用具。
【請求項２】
前記把持部は着脱自在とした請求項１に記載のコネクタ用端子装着用具。
【請求項３】
前記把持部は右利き、左利きに対し、その取付位置を変更可能としたことを特徴とする請求項２に記載のコネクタ用端子装着用具。
【請求項４】
前記保持部に保持した電気コネクタの近傍に電線表示部を設け、該電線表示部は、挿入すべき接続端子に接続した電線を指定して、前記端子挿入口に挿入するために挿入すべき電線を表示することを特徴とする請求項１又は２又は３に記載のコネクタ用端子装着用具。
【請求項５】
前記保持部は基体とアダプタの２つの部材から成り、前記アダプタは前記基体に対し交換可能とし、前記電線表示部を前記アダプタに設けたことを特徴とする請求項４に記載のコネクタ用端子装着用具。
【請求項６】
前記電線表示部には、該当する前記電線のサンプルを配置したことを特徴とする請求項４又は５に記載のコネクタ用端子装着用具。
【発明の詳細な説明】
【技術分野】
【０００１】
本発明は、電気コネクタに電線付き接続端子を装着するためのコネクタ用端子装着用具に関するものである。
【背景技術】
【０００２】
多数の端子付き電線を電気コネクタに挿着するのは作業が極めて厄介で、かつ電線を間違えて挿入し易い。引用文献１のコネクタ用電線識別表示具においては、電気コネクタの端子ごとに識別札を取り付けて電線の色と合致させることにより、挿入ミスを回避するようにしている。
【０００３】
【特許文献１】実開平５−９２９７６号公報
【発明の開示】
【発明が解決しようとする課題】
【０００４】
しかし、上述の引用文献１においては、作業性についての開示はなく、簡便に電気コネクタに電線付き接続端子を装入できる用具の開発が望まれている。
【０００５】
本発明の目的は、上述の課題を解決し、作業性に優れたコネクタ用端子装着用具を提供することにある。
【課題を解決するための手段】
【０００６】
上述の目的を達成するための本発明に係るコネクタ用端子装着用具の技術的特徴は、電気コネクタに電線を付した接続端子を挿入するためのコネクタ用端子装着用具であって、前記電気コネクタをその端子挿入口を外側に向けて保持する保持部と、前記電気コネクタを前記保持部に係止する係止手段と、前記保持部を把持する把持部とから成ることにある。
【発明の効果】
【０００７】
本発明に係るコネクタ用端子装着用具によれば、片手で保持部を持って片手で接続端子を挿入することができる。
【０００８】
また、電線表示部を設けることにより、電線端子の挿入ミスが減少する利点がある。
【発明を実施するための最良の形態】
【０００９】
本発明を図示の実施例に基づいて詳細に説明する。
図１は実施例のコネクタ用端子装着用具の平面図、図２は正面図、図３は右側面図、図４は左側面図である。
【００１０】
保持部１は主として合成樹脂製の基体２、アダプタ３の２部材から成り、基体２の上にアダプタ３が複数本のガイドピン４を用いて位置決めして取り付けるようにされ、基体２に把持部５が着脱自在とされている。基体２とアダプタ３には電気コネクタを側方から挿入する挿入溝６が設けられている。
【００１１】
また、基体２には挿入された電気コネクタを係止するために先端に鉤部７ａ、後端に操作部７ｂを備えた第１の係止レバー７が支点８を介して取り付けられ、ばね９により係止方向に付勢されている。更に、基体２にはアダプタ３を係止するために、先端に鉤部１０ａ、後端に操作部１０ｂを備えた第２の係止レバー１０が支点１１を介して取り付けられ、ばね１２により係止方向に付勢されている。
【００１２】
基体２に取り外し自在に固定された把持部５は、円柱状の合成樹脂製の握り部１３と、その先端に金属製の２枚の取付金具１４が固定されており、取付金具１４のそれぞれの先端に孔部１４ａが設けられている。基体２の両側には、取付金具１４を位置決めするための位置決め溝１５が設けられ、更に位置決め溝１５内には半球状の金属製の固定用突起１６が埋め込まれている。把持部５は左利き用と右利き用として取り外して変更可能とするために、基体２には左利きの場合と右利きの場合の２組の位置決め溝１５が形成されている。
【００１３】
アダプタ３はコネクタの種類に応じて基体２に対し代替可能とされ、その表面には、複数のサンプル溝１７が挿入溝６の方向に向けて設けられちる。そして、これらのサンプル溝１７には、それぞれ電気コネクタの端子挿入口に挿入すべき接続端子に付した電線のサンプルが、切り取られて埋められており、サンプル溝１７の上側に透明な合成樹脂板１８がビス１９によりアダプタ３に固定されている。
【００１４】
コネクタ用端子装着用具の使用時には、使用者は保持部１を例えば非利き手の左手で持つことができるように、図２に示すように把持部５を２枚の取付金具１４により強固に基体２を挟み付け、固定用突起１６、位置決め溝１５により位置決めして基体２に固定しておく。
【００１５】
このようにして、左手で保持部１を持って、図５に示すように利き手の右手で電気コネクタＣを側方から保持部１の挿入溝６に挿入すると、第１の係止レバー７の鉤部７ａが電気コネクタＣを係止して基体２に固定する。
【００１６】
この状態で、図６に示すように電気コネクタＣの上方を向いた各端子挿入口Ａに、図５に示す電線Ｗを付した接続端子Ｔを挿入する。このとき、アダプタ３には、電線Ｗのサンプルをサンプル溝１７内に配置した電線表示部が各端子挿入口Ａの近傍に設けられており、挿入すべき電線Ｗの種類が指定されているので、作業者はこのサンプルと一致する色、模様を持つ電線Ｗを電気コネクタＣの端子挿入口Ａに挿入してゆけばよいので、誤挿入がなくなる。
【００１７】
また、挿入端子には、図面を見なくてもよいため、端子挿入作業に掛かる時間が短縮できる。更に、端子挿入後においても電線Ｗとサンプルが合致しているか否かの確認が可能となる。
【００１８】
全ての接続端子Ｔの挿入が終了すると、第１の係止レバー７の操作部７ｂを押して鉤部７ａの電気コネクタＣへの係止を外し、電気コネクタＣを保持部１の挿入溝６から引き出す。続いて、新たな電気コネクタＣを保持部１に挿着し、同様にして接続端子Ｔを電気コネクタＣに挿入する。
【００１９】
扱うべき電気コネクタＣの種類を変える場合には、第２の係止レバー１０の操作部１０ｂを操作して鉤部１０ａによるアダプタ３に対する係止を外して、該当の挿入溝６の形状が異なる、或いはサンプルが異なるアダプタ３に交換して使用することができる。また、接続端子Ｔの挿着位置を変える簡単な変更の場合には、アダプタ３の合成樹脂板１８を外してサンプル溝１７内のサンプルを取換えることにより対応すればよい。
【００２０】
また、利き手が異なる作業者が使用する場合には把持部５の取付位置を変えて使用できる。
【図面の簡単な説明】
【００２１】
【図１】コネクタ用端子装着用具の平面図である。
【図２】正面図である。
【図３】右側面図である。
【図４】左側面図である。
【図５】使用状態の側面図である。
【図６】使用状態の平面図である。
【符号の説明】
【００２２】
１  保持部
２  基体
３  アダプタ
５  把持部
６  挿入溝
７  第１の係止レバー
１０  第２の係止レバー
１３  握り部
１５  位置決め溝
【図１】
2009117224.tif 000003
【図２】
2009117224.tif 000004
【図３】
2009117224.tif 000005
【図４】
2009117224.tif 000006
【図５】
2009117224.tif 000007
【図６】
2009117224.tif 000008